(57)【要約】【課題】コネクタ部材の強度が低下するのを抑制しながら、シールド性が低下するのを抑制するとともに、小型化することが可能なシールドケースを提供する。【解決手段】このシールドケース３は、凸部１２ａが設けられた複数の側面部１２を含むシールド筐体１０と、シールド筐体１０の側面部１２の凸部１２ａに係合する複数の係合部２２を含み、シールド筐体１０に取り付けられるシールド蓋２０と、シールド筐体１０の側面部１２ｂに取り付けられ、複数の端子３１ａおよび３１ｂ、および、端子固定部材３２を含むｐｉｎヘッダー３０とを備え、シールド蓋２０の係合部２２ｂは、シールド筐体１０の側面部１２ｂ（１２）とｐｉｎヘッダー３０の端子固定部材３２との間に配置されている。【選択図】図１
2009141245.tif 000002
【特許請求の範囲】
【請求項１】
基板が内部に配置され、第１係合部が設けられた複数の側面部を含むシールド筐体と、
前記シールド筐体の複数の側面部の第１係合部に係合する複数の第２係合部を含み、前記シールド筐体に取り付けられるシールド蓋と、
前記シールド筐体の複数の側面部のうちの少なくとも１つに取り付けられ、複数の端子、および、前記複数の端子を固定する端子固定部材を含むコネクタ部材とを備え、
前記シールド蓋の複数の第２係合部のうちの少なくとも１つは、前記シールド筐体の側面部と前記コネクタ部材の端子固定部材との間に配置されていることを特徴とするシールドケース。
【請求項２】
前記コネクタ部材の端子固定部材は、前記シールド筐体の側面部に当接する当接部と、前記シールド筐体の側面部から所定の距離を隔てて配置される屈曲部とを含み、
前記シールド蓋の複数の第２係合部のうちの少なくとも１つは、前記シールド筐体の側面部と前記コネクタ部材の屈曲部との間に配置されていることを特徴とする請求項１に記載のシールドケース。
【請求項３】
前記コネクタ部材の当接部は、複数からなり、
前記コネクタ部材の屈曲部は、複数の前記当接部の間に配置され、
前記コネクタ部材の複数の端子は、前記屈曲部には設けられておらず、前記複数の当接部に設けられていることを特徴とする請求項２に記載のシールドケース。
【請求項４】
前記シールド筐体の複数の側面部のうちの前記コネクタ部材が取り付けられる側面部には、開口部が形成されており、
前記コネクタ部材の端子固定部材の両端部、および、前記端子固定部材の屈曲部の両端部近傍には、前記シールド筐体の開口部に挿入される挿入部が形成されていることを特徴とする請求項３に記載のシールドケース。
【請求項５】
前記コネクタ部材が取り付けられる前記側面部の第１係合部に係合される前記シールド蓋の第２係合部のうち、両端に位置する２つの前記第２係合部の間に、前記コネクタ部材が配置されていることを特徴とする請求項１〜４のいずれか１項に記載のシールドケース。
【請求項６】
請求項１〜５のいずれか１項に記載のシールドケースと、
前記シールドケースのシールド筐体の内部に配置される基板とを備えることを特徴とする高周波ユニット。
【発明の詳細な説明】
【技術分野】
【０００１】
この発明は、シールドケースおよびそれを備えた高周波ユニットに関し、特に、シールド筐体とシールド筐体に取り付けられるコネクタ部材とを含むシールドケースおよびそれを備えた高周波ユニットに関する。
【背景技術】
【０００２】
近年、電子機器は小型化が要求されており、これらの機器に搭載する高周波ユニットのシールドケースも小型化が要求されている。このようなシールドケースとして、シールド筐体とシールド筐体に取り付けられるコネクタ部材とを備えたシールドケースが知られている（たとえば、特許文献１参照）。
【０００３】
上記特許文献１には、回路基板（基板）が内部に配置され、前面板（側面部）および２つの側面板（側面部）を含むシールド筐体と、シールド筐体の前面板に取り付けられ、複数の接続ピン（端子）、および、複数の接続ピンを固定するケーシング（端子固定部材）を含むピン型コネクタ（コネクタ部材）とを備えたシールドケースが開示されている。上記特許文献１のシールドケースでは、ピン型コネクタのケーシングは、所定の方向に延びる細長形状に形成されており、ピン型コネクタの複数の接続ピンは、所定の方向に等間隔で配置されている。そして、ピン型コネクタは、シールド筐体の前面板に形成された所定の方向に延びる嵌合孔（開口部）に取り付けられている。
【０００４】
また、上記特許文献１のシールドケースと同様の構造を有するシールドケースを備えた従来の一例による高周波ユニットが知られている。図９は、従来の一例による高周波ユニットの構造を示した斜視図である。図１０は、図９に示した従来の一例による高周波ユニットの構造を示した分解斜視図である。図１１は、図９に示した従来の一例による高周波ユニットのシールド蓋およびｐｉｎヘッダー（コネクタ部材）をシールド筐体に取り付けた状態を示した断面図である。
【０００５】
従来の一例による高周波ユニット１０１は、図９および図１０に示すように、回路基板（基板）１０２（図１０参照）と、回路基板１０２が内部に配置されるシールドケース１０３とによって構成されている。このシールドケース１０３は、図１０に示すように、回路基板１０２が内部に配置されるシールド筐体１１０と、シールド筐体１１０の上部に取り付けられるシールド蓋１２０と、シールド筐体１１０に取り付けられるｐｉｎヘッダー（コネクタ部材）１３０とによって構成されている。
【０００６】
この高周波ユニット１０１では、シールド筐体１１０は、下面部１１１と、下面部１１１に対して略垂直に折り曲げられた４つの側面部１１２とを含んでいる。また、４つの側面部１１２には、それぞれ、Ａ方向またはＢ方向に延びる複数の凸部１１２ａが形成されている。また、４つの側面部１１２のうちの１つの側面部１１２ｂには、ｐｉｎヘッダー１３０を取り付けるための開口部１１２ｃがＢ方向に延びるように形成されている。
【０００７】
シールド蓋１２０は、上面部１２１と、上面部１２１の外周部に設けられた複数の係合部１２２とによって構成されている。
【０００８】
ｐｉｎヘッダー１３０は、複数の端子１３１と、複数の端子１３１と一体的に形成された樹脂製の端子固定部材１３２とによって構成されている。複数の端子１３１は、Ｂ方向に沿って等間隔に配置されているとともに、図１１に示すように、一方の端部が回路基板１０２の挿入孔１０２ａに挿入される。端子固定部材１３２は、図１０に示すように、Ｂ方向に延びる細長形状に形成されている。また、端子固定部材１３２のＢ方向の両端部には、シールド筐体１１０の開口部１１２ｃに挿入される挿入部１３２ａが形成されている。そして、ｐｉｎヘッダー１３０は、図９および図１１に示すように、シールド筐体１１０の側面部１１２ｂの開口部１１２ｃ（図１１参照）に取り付けられる。
【０００９】
上記高周波ユニット１０１では、シールド筐体１１０にｐｉｎヘッダー１３０とシールド蓋１２０とが取り付けられた状態（図９に示した状態）で、ｐｉｎヘッダー１３０は、Ｂ方向の一方端から他方端にわたってシールド筐体１１０の側面部１１２ｂに当接しているとともに、シールド蓋１２０の係合部１２２は、ｐｉｎヘッダー１３０の上方に、ｐｉｎヘッダー１３０の端子固定部材１３２から所定の距離を隔てて配置されている。
【特許文献１】特開平８−７９９２号公報
【発明の開示】
【発明が解決しようとする課題】
【００１０】
従来の一例による高周波ユニット１０１では、シールド筐体１１０にｐｉｎヘッダー（コネクタ部材）１３０とシールド蓋１２０とが取り付けられた状態で、シールド蓋１２０の係合部１２２が、ｐｉｎヘッダー１３０の上方に、ｐｉｎヘッダー１３０の端子固定部材１３２から所定の距離を隔てて配置されているので、その分、シールド蓋１２０を上方に配置する必要があるという問題点がある。すなわち、シールドケース１０３（高周波ユニット１０１）の厚み（高さ）を小さくするのが困難であるという問題点がある。
【００１１】
この問題点を解決するために、シールド筐体１１０の側面部１１２ｂの凸部１１２ａに対応するシールド蓋１２０の係合部１２２を無くすことも考えられるが、この場合、シールドケース１０３のシールド性が低下するという不都合が生じる。
【００１２】
また、ｐｉｎヘッダー１３０の端子固定部材１３２の高さを小さくすることも考えられるが、この場合、ｐｉｎヘッダー（コネクタ部材）１３０の強度が低下するという不都合が生じる。
【００１３】
なお、上記特許文献１のシールド筐体にシールド蓋を取り付ける場合にも、図９〜図１１に示した従来の一例による高周波ユニット１０１（シールドケース１０３）と同様の問題点がある。
【００１４】
この発明は、上記のような課題を解決するためになされたものであり、この発明の目的は、コネクタ部材の強度が低下するのを抑制しながら、シールド性が低下するのを抑制するとともに、小型化することが可能なシールドケースおよび高周波ユニットを提供することである。
【課題を解決するための手段】
【００１５】
上記目的を達成するために、この発明の第１の局面によるシールドケースは、基板が内部に配置され、第１係合部が設けられた複数の側面部を含むシールド筐体と、シールド筐体の複数の側面部の第１係合部に係合する複数の第２係合部を含み、シールド筐体に取り付けられるシールド蓋と、シールド筐体の複数の側面部のうちの少なくとも１つに取り付けられ、複数の端子、および、複数の端子を固定する端子固定部材を含むコネクタ部材とを備え、シールド蓋の複数の第２係合部のうちの少なくとも１つは、シールド筐体の側面部とコネクタ部材の端子固定部材との間に配置されている。
【００１６】
この第１の局面によるシールドケースでは、上記のように、シールド蓋の複数の第２係合部のうちの少なくとも１つを、シールド筐体の側面部とコネクタ部材の端子固定部材との間に配置することによって、シールド蓋の第２係合部を、コネクタ部材の上方に、コネクタ部材の端子固定部材から所定の距離を隔てて配置する必要がないので、その分、シールド蓋を下側（シールド筐体側）に配置することができる。これにより、シールドケースの厚み（高さ）を小さくすることができるので、シールドケースを小型化することができる。この場合、シールド蓋の第２係合部を無くす必要がないので、シールドケースのシールド性が低下するのを抑制することができる。また、この場合、コネクタ部材の端子固定部材の高さを小さくする必要がないので、コネクタ部材の強度が低下するのを抑制することができる。
【００１７】
上記第１の局面によるシールドケースにおいて、好ましくは、コネクタ部材の端子固定部材は、シールド筐体の側面部に当接する当接部と、シールド筐体の側面部から所定の距離を隔てて配置される屈曲部とを含み、シールド蓋の複数の第２係合部のうちの少なくとも１つは、シールド筐体の側面部とコネクタ部材の屈曲部との間に配置されている。このように構成すれば、シールド蓋の複数の第２係合部のうちの少なくとも１つを、容易に、シールド筐体の側面部とコネクタ部材の端子固定部材との間に配置することができるので、シールド蓋を、容易に、下側（シールド筐体側）に配置することができる。
【００１８】
上記コネクタ部材の端子固定部材が当接部および屈曲部を含むシールドケースにおいて、好ましくは、コネクタ部材の当接部は、複数からなり、コネクタ部材の屈曲部は、複数の当接部の間に配置され、コネクタ部材の複数の端子は、屈曲部には設けられておらず、複数の当接部に設けられている。このように構成すれば、屈曲部を、コネクタ部材の端子固定部材の中央部に配置することができるので、シールド蓋の第２係合部のうちの少なくとも１つを、コネクタ部材の端子固定部材の中央部近傍に配置することができる。これにより、コネクタ部材の中央部近傍において、シールドケースのシールド性が低下するのを抑制することができるので、コネクタ部材（端子固定部材）が、例えば細長形状に形成されている場合にも、シールドケースのシールド性が低下するのを、効果的に抑制することができる。また、コネクタ部材の屈曲部を、複数の当接部の間に配置し、コネクタ部材の複数の端子を、屈曲部には設けず、複数の当接部に設けることによって、コネクタ部材の複数の端子を、例えば機能毎に分離して配置することができる。
【００１９】
上記コネクタ部材の屈曲部が複数の当接部の間に配置されているシールドケースにおいて、好ましくは、シールド筐体の複数の側面部のうちのコネクタ部材が取り付けられる側面部には、開口部が形成されており、コネクタ部材の端子固定部材の両端部、および、端子固定部材の屈曲部の両端部近傍には、シールド筐体の開口部に挿入される挿入部が形成されている。このように構成すれば、コネクタ部材の端子固定部材の両端部のみならず、端子固定部材の中央部近傍においても、コネクタ部材の挿入部をシールド筐体の開口部に挿入することができる。これにより、コネクタ部材（端子固定部材）が中央部で上下方向に撓むのを抑制することができる。すなわち、コネクタ部材の端子固定部材の両端部のみにおいてコネクタ部材の挿入部をシールド筐体の開口部に挿入する場合に比べて、コネクタ部材の強度を向上させることができる。
【００２０】
上記第１の局面によるシールドケースにおいて、好ましくは、コネクタ部材が取り付けられる側面部の第１係合部に係合されるシールド蓋の第２係合部のうち、両端に位置する２つの第２係合部の間に、コネクタ部材が配置されている。このように構成すれば、コネクタ部材が取り付けられる側面部の第１係合部に係合されるシールド蓋の第２係合部のうち、両端に位置する２つの第２係合部に、コネクタ部材が当接するのを抑制することができるので、シールド蓋を、より容易に、下側（シールド筐体側）に配置することができる。また、コネクタ部材が取り付けられる側面部の第１係合部に係合されるシールド蓋の第２係合部のうち、両端に位置する２つの第２係合部の間に、コネクタ部材を配置することによって、コネクタ部材の両端部周辺において、シールド蓋の第２係合部を無くす必要がないので、シールドケースのシールド性が低下するのをより抑制することができる。
【００２１】
この発明の第２の局面による高周波ユニットは、請求項１〜５のいずれか１項に記載のシールドケースと、シールドケースのシールド筐体の内部に配置される基板とを備える。このように構成すれば、コネクタ部材の強度が低下するのを抑制しながら、シールド性が低下するのを抑制するとともに、小型化することが可能な高周波ユニットを得ることができる。
【発明の効果】
【００２２】
以上のように、本発明によれば、コネクタ部材の強度が低下するのを抑制しながら、シールド性が低下するのを抑制するとともに、小型化することが可能なシールドケースおよび高周波ユニットを容易に得ることができる。
【発明を実施するための最良の形態】
【００２３】
図１は、本発明の一実施形態によるシールドケースを備えた高周波ユニットの構造を示した斜視図である。図２および図３は、図１に示した本発明の一実施形態によるシールドケースを備えた高周波ユニットの構造を示した分解斜視図である。図４〜図８は、図１に示した本発明の一実施形態によるシールドケースの詳細構造を示した図である。図１〜図８を参照して、本発明の一実施形態によるシールドケース３を備えた高周波ユニット１の構造について説明する。
【００２４】
本発明の一実施形態によるシールドケース３を備えた高周波ユニット１は、地上波放送や衛星放送などを受信する放送受信用のチューナ（高周波受信装置）として用いられる。また、高周波ユニット１は、図１〜図３に示すように、回路基板２ａおよび２ｂ（図２および図３参照）と、回路基板２ａおよび２ｂが内部に配置されるシールドケース３とによって構成されている。なお、回路基板２ａおよび２ｂは、本発明の「基板」の一例である。
【００２５】
回路基板２ａおよび２ｂ（図２および図３参照）には、それぞれ、例えばデジタル回路およびアナログ回路が形成されている。
【００２６】
シールドケース３は、図２に示すように、回路基板２ａおよび２ｂが内部に配置される板金製のシールド筐体１０と、シールド筐体１０の上部に取り付けられる板金製のシールド蓋２０と、シールド筐体１０に取り付けられるｐｉｎヘッダー３０とによって構成されている。なお、ｐｉｎヘッダー３０は、本発明の「コネクタ部材」の一例である。
【００２７】
シールド筐体１０は、回路基板２ａおよび２ｂのグランド（図示せず）に半田などにより接続されており、アースとしての機能を有する。
【００２８】
また、シールド筐体１０は、下面部１１と、下面部１１に対して略垂直に折り曲げられた４つの側面部１２と、側面部１２の内部に配置された仕切り板１３ａおよび１３ｂとを含んでいる。
【００２９】
４つの側面部１２の上部には、それぞれ、Ａ方向またはＢ方向に延びる複数の凸部１２ａが形成されている。この凸部１２ａは、図４に示すように、シールド筐体１０の外側に突出するように形成されている。また、複数の凸部１２ａは、図２に示すように、Ａ方向またはＢ方向に互いに所定の間隔を隔てて複数設けられている。なお、凸部１２ａは、本発明の「第１係合部」の一例である。
【００３０】
ここで、本実施形態では、４つの側面部１２のうちの１つの側面部１２ｂには、ｐｉｎヘッダー３０を取り付けるための開口部１２ｃがＢ方向に延びるように形成されている。また、側面部１２ｂには、凸部１２ａが３つ設けられている。具体的には、２つの凸部１２ｄ（１２ａ）は、側面部１２ｂのＢ方向の両端部の上部に設けられており、１つの凸部１２ｅ（１２ａ）は、側面部１２ｂのＢ方向の中央部の上部に設けられている。なお、側面部１２ｂは、本発明の「複数の側面部のうちの少なくとも１つ」の一例である。
【００３１】
仕切り板１３ａは、Ａ方向に延びるように配置されている。仕切り板１３ｂは、複数からなるとともに、Ｂ方向に延びるように配置されている。また、仕切り板１３ｂの上端部１３ｃは、図５に示すように、水平方向（Ａ方向）に折り曲げられている。
【００３２】
シールド蓋２０は、図２に示すように、上面部２１と、上面部２１の外周部に設けられた複数の係合部２２とによって構成されている。なお、係合部２２は、本発明の「第２係合部」の一例である。
【００３３】
上面部２１には、Ａ方向およびＢ方向の端部から所定の距離を隔てて、上側に突出した突出面部２１ａが設けられている。この突出面部２１ａには、仕切り板１３ｂの上方に配置されているとともに、仕切り板１３ｂの上端部１３ｃに接触する複数の接触部２１ｂが形成されている。
【００３４】
この複数の接触部２１ｂの周囲には、図６に示すように、それぞれ、コの字形状のスリット部２１ｃが設けられている。これにより、接触部２１ｂは、上下方向のバネ性を有する。また、複数の接触部２１ｂの所定の位置には、下方向に突出した半球面形状の突出部２１ｄが形成されている。この突出部２１ｄは、図５に示すように、仕切り板１３ｂの上端部１３ｃに当接するように形成されている。このように、接触部２１ｂの突出部２１ｄが仕切り板１３ｂの上端部１３ｃに接触することにより、シールド蓋２０もアースとして機能する。
【００３５】
複数の係合部２２は、図４に示すように、くの字形状の断面を有しており、シールド筐体１０の側面部１２の上部に設けられた凸部１２ａに係合するように形成されている。
【００３６】
また、複数の係合部２２は、互いに独立した状態で、Ａ方向またはＢ方向のバネ性を有する。なお、係合部２２がシールド筐体１０の側面部１２の凸部１２ａに係合した状態では、バネ性を有する係合部２２は、シールド筐体１０の側面部１２を内側に押圧した状態になっている。
【００３７】
また、本実施形態では、図２に示すように、複数の係合部２２は、シールド筐体１０の側面部１２ｂの凸部１２ｄおよび１２ｅにそれぞれ係合される係合部２２ａおよび２２ｂを含んでいる。２つの係合部２２ａは、Ｂ方向の両端部に設けられており、１つの係合部２２ｂは、Ｂ方向の中央部に設けられている。なお、係合部２２ａは、本発明の「両端に位置する２つの第２係合部」の一例であり、係合部２２ｂは、本発明の「複数の第２係合部のうちの少なくとも１つ」の一例である。
【００３８】
また、本実施形態では、ｐｉｎヘッダー３０は、図１に示すように、ｐｉｎヘッダー３０がシールド筐体１０に取り付けられた状態で、シールド蓋２０の２つ係合部２２ａの間に配置される。
【００３９】
また、ｐｉｎヘッダー３０は、図７および図８に示すように、複数の端子３１ａおよび３１ｂと、複数の端子３１ａおよび３１ｂと一体的に形成された樹脂製の端子固定部材３２とによって構成されている。
【００４０】
また、本実施形態では、端子固定部材３２は、Ｂ方向に延びる細長形状に形成されている。また、端子固定部材３２は、シールド筐体１０（図２参照）の側面部１２ｂに当接する２つの当接部３２ａと、２つの当接部３２ａの間に配置された屈曲部３２ｂとを含んでいる。
【００４１】
また、本実施形態では、各当接部３２ａの両端部には、シールド筐体１０（図２参照）の側面部１２ｂの開口部１２ｃに挿入される挿入部３２ｃが形成されている。すなわち、端子固定部材３２の両端部、および、屈曲部３２ｂの両端部近傍に、挿入部３２ｃが形成されている。そして、ｐｉｎヘッダー３０は、図３に示すように、挿入部３２ｃ（図７および図８参照）がシールド筐体１０の側面部１２ｂの開口部１２ｃ（図２参照）に挿入されることにより、シールド筐体１０の側面部１２ｂに取り付けられる。
【００４２】
また、本実施形態では、屈曲部３２ｂは、シールド筐体１０の側面部１２ｂから所定の距離を隔てて配置される。これにより、図１および図４に示すように、ｐｉｎヘッダー３０およびシールド蓋２０がシールド筐体１０に取り付けられた状態で、シールド蓋２０の係合部２２ｂが、シールド筐体１０の側面部１２ｂと、ｐｉｎヘッダー３０の端子固定部材３２の屈曲部３２ｂとの間に配置される。
【００４３】
複数の端子３１ａおよび３１ｂは、図７および図８に示すように、屈曲部３２ｂには設けられておらず、２つの当接部３２ａに設けられている。具体的には、複数の端子３１ａは、一方の当接部３２ａに設けられており、複数の端子３１ｂは、他方の当接部３２ａに設けられている。すなわち、複数の端子３１ａと複数の端子３１ｂとは、Ｂ方向に所定の間隔を隔てて配置されている。また、複数の端子３１ａは、Ｂ方向に沿って等間隔に配置されているとともに、複数の端子３１ｂも、Ｂ方向に沿って等間隔に配置されている。
【００４４】
また、複数の端子３１ａは、図３に示すように、一方の端部が回路基板２ａの挿入孔２ｃに挿入されて半田などにより固定されているとともに、複数の端子３１ｂは、一方の端部が回路基板２ｂの挿入孔２ｃに挿入されて半田などにより固定されている。そして、複数の端子３１ａには、デジタル信号が流れるとともに、複数の端子３１ｂには、アナログ信号が流れる。
【００４５】
本実施形態では、上記のように、シールド蓋２０の係合部２２ｂを、シールド筐体１０の側面部１２ｂとｐｉｎヘッダー３０の端子固定部材３２との間に配置することによって、シールド蓋２０の係合部２２ｂを、ｐｉｎヘッダー３０の上方に、ｐｉｎヘッダー３０の端子固定部材３２から所定の距離を隔てて配置する必要がないので、その分、シールド蓋２０を下側（シールド筐体１０側）に配置することができる。これにより、シールドケース３（シールド筐体１０）の厚み（高さ）を小さくすることができるので、シールドケース３を小型化することができる。この場合、シールド蓋２０の係合部２２ｂを無くす必要がないので、シールドケース３のシールド性が低下するのを抑制することができる。また、この場合、ｐｉｎヘッダー３０の端子固定部材３２の高さを小さくする必要がないので、ｐｉｎヘッダー３０の強度が低下するのを抑制することができる。
【００４６】
また、本実施形態では、ｐｉｎヘッダー３０の端子固定部材３２に、シールド筐体１０の側面部１２ｂに当接する当接部３２ａと、シールド筐体１０の側面部１２ｂから所定の距離を隔てて配置される屈曲部３２ｂとを設けることによって、シールド蓋２０の係合部２２ｂを、容易に、シールド筐体１０の側面部１２ｂとｐｉｎヘッダー３０の端子固定部材３２との間に配置することができるので、シールド蓋２０を、容易に、下側（シールド筐体１０側）に配置することができる。
【００４７】
また、本実施形態では、ｐｉｎヘッダー３０の屈曲部３２ｂを、２つの当接部３２ａの間に配置することによって、屈曲部３２ｂを、ｐｉｎヘッダー３０の端子固定部材３２の中央部に配置することができるので、シールド蓋２０の係合部２２ｂを、ｐｉｎヘッダー３０の端子固定部材３２の中央部近傍に配置することができる。これにより、ｐｉｎヘッダー３０の中央部近傍において、シールドケース３のシールド性が低下するのを抑制することができるので、ｐｉｎヘッダー３０の端子固定部材３２が細長形状に形成されている場合にも、シールドケース３のシールド性が低下するのを、効果的に抑制することができる。また、ｐｉｎヘッダー３０の複数の端子３１ａおよび３１ｂを、屈曲部３２ｂには設けず、複数の端子３１ａを、一方の当接部３２ａに設けるとともに、複数の端子３１ｂを、他方の当接部３２ａに設けている。これにより、複数の端子３１ａと複数の端子３１ｂとを、Ｂ方向に所定の間隔を隔てて配置し、複数の端子３１ａを、回路基板２ａに固定してデジタル信号を流すとともに、複数の端子３１ｂを、回路基板２ｂに固定してアナログ信号を流すことができる。すなわち、複数の端子３１ａと複数の端子３１ｂとを、機能毎に分離して配置することができる。
【００４８】
また、本実施形態では、ｐｉｎヘッダー３０の端子固定部材３２の両端部、および、端子固定部材３２の屈曲部３２ｂの両端部近傍に、シールド筐体１０の開口部１２ｃに挿入される挿入部３２ｃを形成することによって、ｐｉｎヘッダー３０の端子固定部材３２の両端部のみならず、端子固定部材３２の中央部近傍においても、ｐｉｎヘッダー３０の挿入部３２ｃをシールド筐体１０の開口部１２ｃに挿入することができる。これにより、ｐｉｎヘッダー３０（端子固定部材３２）が中央部で上下方向に撓むのを抑制することができる。すなわち、ｐｉｎヘッダー３０の端子固定部材３２の両端部のみにおいてｐｉｎヘッダー３０の挿入部３２ｃをシールド筐体１０の開口部１２ｃに挿入する場合に比べて、ｐｉｎヘッダー３０の強度を向上させることができる。
【００４９】
また、本実施形態では、ｐｉｎヘッダー３０を、２つの係合部２２ａの間に配置することによって、ｐｉｎヘッダー３０（端子固定部材３２）が、２つの係合部２２ａに当接するのを抑制することができるので、シールド蓋２０を、より容易に、下側（シールド筐体１０側）に配置することができる。また、ｐｉｎヘッダー３０を、２つの係合部２２ａの間に配置することによって、ｐｉｎヘッダー３０の両端部周辺において、シールド蓋２０の係合部２２ａ（２２）を無くす必要がないので、シールドケース３のシールド性が低下するのをより抑制することができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、本発明の高周波ユニットを、地上波放送や衛星放送などを受信する放送受信用のチューナ（高周波受信装置）に適用した例について示したが、本発明はこれに限らず、地上波放送や衛星放送以外の電波などを受信する高周波ユニットに適用してもよい。
【００５２】
また、上記実施形態では、シールド筐体１０の側面部１２ｂとｐｉｎヘッダー３０の端子固定部材３２との間に配置される係合部２２ｂを、シールド蓋２０に１つだけ設けた例について示したが、本発明はこれに限らず、シールド筐体１０の側面部１２ｂとｐｉｎヘッダー３０の端子固定部材３２との間に配置される係合部２２ｂを、シールド蓋２０に複数設けてもよい。
【００５３】
また、上記実施形態では、ｐｉｎヘッダー３０の屈曲部３２ｂを、１つだけ設けた例について示したが、本発明はこれに限らず、屈曲部３２ｂを、複数設けてもよい。
【００５４】
また、上記実施形態では、ｐｉｎヘッダー３０の屈曲部３２ｂを、２つの当接部３２ａの間に配置した例について示したが、本発明はこれに限らず、当接部３２ａを、２つの屈曲部３２ｂの間に配置してもよいし、当接部３２ａと屈曲部３２ｂとを１つずつ設けてもよい。
【００５５】
また、上記実施形態では、ｐｉｎヘッダー３０の挿入部３２ｃを、端子固定部材３２の両端部、および、屈曲部３２ｂの両端部近傍に設けた例について示したが、本発明はこれに限らず、ｐｉｎヘッダー３０の挿入部３２ｃを、端子固定部材３２の両端部のみに設けてもよい。
【００５６】
また、上記実施形態では、ｐｉｎヘッダー３０を１つだけ設けた例について示したが、本発明はこれに限らず、ｐｉｎヘッダー３０を２つ以上設けてもよい。
【００５７】
また、上記実施形態では、シールド筐体１０の上部のみに、シールド蓋２０を取り付けた例について示したが、本発明はこれに限らず、シールド筐体１０の上部および下部に、それぞれ、シールド蓋２０を取り付けてもよい。
【００５８】
また、上記実施形態では、シールド蓋２０をシールド筐体１０の仕切り板１３ｂに接触させることにより、シールド蓋２０をアースとして用いた例について示したが、本発明はこれに限らず、シールド蓋２０を、シールド筐体１０の側面部１２などに接触させたり、回路基板２ａおよび２ｂに接触させることにより、シールド蓋２０をアースとして用いてもよい。また、シールド蓋２０をアースとして用いなくてもよい。
【図面の簡単な説明】
【００５９】
【図１】本発明の一実施形態によるシールドケースを備えた高周波ユニットの構造を示した斜視図である。
【図２】図１に示した本発明の一実施形態によるシールドケースを備えた高周波ユニットの構造を示した分解斜視図である。
【図３】図１に示した本発明の一実施形態によるシールドケースを備えた高周波ユニットの構造を示した分解斜視図である。
【図４】図１に示した本発明の一実施形態によるシールドケースのシールド蓋およびｐｉｎヘッダーをシールド筐体に取り付けた状態を示した断面図である。
【図５】図１に示した本発明の一実施形態によるシールドケースのシールド蓋をシールド筐体に取り付けた状態を示した断面図である。
【図６】図１に示した本発明の一実施形態によるシールドケースのシールド蓋の接触部の構造を示した斜視図である。
【図７】図１に示した本発明の一実施形態によるシールドケースのｐｉｎヘッダーの構造を示した斜視図である。
【図８】図１に示した本発明の一実施形態によるシールドケースのｐｉｎヘッダーの構造を示した斜視図である。
【図９】従来の一例による高周波ユニットの構造を示した斜視図である。
【図１０】図９に示した従来の一例による高周波ユニットの構造を示した分解斜視図である。
【図１１】図９に示した従来の一例による高周波ユニットのシールド蓋およびｐｉｎヘッダーをシールド筐体に取り付けた状態を示した断面図である。
【符号の説明】
【００６０】
１  高周波ユニット
２ａ、２ｂ  回路基板（基板）
３  シールドケース
１０  シールド筐体
１２  側面部
１２ａ  凸部（第１係合部）
１２ｂ  側面部（複数の側面部のうちの少なくとも１つ）
１２ｃ  開口部
２０  シールド蓋
２２  係合部（第２係合部）
２２ａ  係合部（両端に位置する２つの第２係合部）
２２ｂ  係合部（複数の第２係合部のうちの少なくとも１つ）
３０  ｐｉｎヘッダー（コネクタ部材）
３１ａ、３１ｂ  端子
３２  端子固定部材
３２ａ  当接部
３２ｂ  屈曲部
３２ｃ  挿入部
【図１】
2009141245.tif 000003
【図２】
2009141245.tif 000004
【図３】
2009141245.tif 000005
【図４】
2009141245.tif 000006
【図５】
2009141245.tif 000007
【図６】
2009141245.tif 000008
【図７】
2009141245.tif 000009
【図８】
2009141245.tif 000010
【図９】
2009141245.tif 000011
【図１０】
2009141245.tif 000012
【図１１】
2009141245.tif 000013